(57)【特許請求の範囲】
【請求項１】
スイッチ本体に設けられた固定接点と、スイッチ本体に回動自在に設けられた駆動ハンドルと、一端部が駆動ハンドルに取り付けられるとともに他端部がスイッチ本体の外側に引き出され引っ張り操作に応じて駆動ハンドルを回動させる引き紐と、駆動ハンドルに設けられ駆動ハンドルの回動に応じて固定接点と接離自在に接触する可動接点と、駆動ハンドルとの間で引き紐を狭持すると共に、駆動ハンドルが復帰位置に戻るように駆動ハンドルに復帰力を与える復帰ばねとを備え、駆動ハンドルは、駆動ハンドルの一端部を固定接点と反対側に折り曲げてなる略Ｌ字状の引き紐固定片を備え、引き紐固定片は、曲がり部に引き紐固定片の先端よりも幅の狭いくびれ部を備えるとともに先端に切欠き部を備え、引き紐は、前記一端部に設けられた係止部を切欠き部に係止させるとともに、くびれ部が設けられた引き紐固定片の部位に巻き付けられていることを特徴とするスイッチ。
【発明の詳細な説明】
【０００１】
【発明の属する技術分野】
本発明は、スイッチに関するものである。
【０００２】
【従来の技術】
従来より、照明器具などではプルスイッチと称するスイッチが用いられている。この種のスイッチは、絶縁材料から形成されたスイッチ本体の内部にスイッチ機構が納められている。スイッチ機構はケース内に回動自在に取り付けられた駆動ハンドルを有し、駆動ハンドルの端部には引き紐が取り付けられており、引き紐を引っ張ることによって駆動ハンドルが回動し、駆動ハンドルの回動に応じて接点がオンオフされる（例えば実開昭５６−１５５３９号公報参照）。
【０００３】
図７に示すように、駆動ハンドル１３は導電性材料から略平板状に形成され、回転軸１０を中心として回動自在にスイッチ本体に取り付けられている。駆動ハンドル１３の端部には引き紐２１を通す紐通し孔３１が設けられており、引き紐２１の先端を紐通し孔３１に通し、引き紐２１の先端に紐通し孔３１よりも大きな結び目２２を作ることにより、引き紐２１が駆動ハンドル１３に取り付けられていた。スイッチ本体には一対の固定接点２４が設けられ、駆動ハンドル１３における固定接点２４と対向する部位には可動接点（図示せず）が設けられており、駆動ハンドル１３が引き紐２１の引っ張り操作に応じて回動すると、固定接点２４と可動接点とが接離自在に接触する。なお、駆動ハンドル１３を復帰位置側に付勢する復帰ばね２３により固定接点２４と可動接点と間の接点圧が付与される。
【０００４】
【発明が解決しようとする課題】
上記構成のスイッチでは、駆動ハンドル１３の紐通し孔３１に引き紐２１を通し、引き紐２１の先端に結び目２２を作ることにより、駆動ハンドル１３に引き紐２１を取り付けていたので、組立作業性が悪いという問題があった。しかも引き紐２１を引く際に、引き紐２１に設けた結び目２２に直接力が加わるから、結び目２２がほどけやすく、結び目２２がほどけるのを防ぐために結び目２２を二重にしたり、結び目２２に接着剤を塗布したりしていたため、組立作業性が悪いという問題があった。
【０００５】
また図８に示すように、スイッチ本体に設けられた一対の固定接点２４と、各固定接点２４と接離自在に接触する一対の可動接点３２を有し、回転軸１０を中心としてラチェット式に一方向回転可能に取り付けられた可動接点片３３と、回転軸１０に回動自在に取り付けられ可動接点片３３とラチェット式に噛み合うことにより可動接点片３２を一方向に回転させる駆動ハンドル１３と、駆動ハンドル１３を復帰位置側に付勢する復帰ばね２３と、一端部が駆動ハンドル１３に引っ掛け係止されるとともに他端部に引き紐（図示せず）が取り付けられた金属製の引き輪３４とを備え、引き紐の引っ張り操作に応じて駆動ハンドル１３が回動し、駆動ハンドル１３の回動に応じて可動接点片３３が一方向に回転し、固定接点２４と可動接点３２とが接離自在に接触するようにしたものもあるが、部品点数が多く、組立の手間がかかるという問題があった。
【０００６】
さらに前者のスイッチでは、引き紐２１が接点部に引っ掛かるのを防止するために、駆動ハンドル１３の平面方向において引き紐２１を接点部から離して駆動ハンドル１３に取り付ける必要があり、スイッチを小型化しにくいという問題があった。また後者のスイッチでは、接点部と引き輪３４との間の絶縁距離を確保するために、駆動ハンドル１３の平面方向において引き輪３４を接点部から離して駆動ハンドル１３に取り付ける必要があり、スイッチを小型化しにくいという問題があった。
【０００７】
本発明は上記問題点に鑑みて為されたものであり、その目的とするところは、組立作業性を向上させるとともに小型化を図ったスイッチを提供することにある。
【０００８】
【課題を解決するための手段】
上記目的を達成するために、請求項１の発明では、スイッチ本体に設けられた固定接点と、スイッチ本体に回動自在に設けられた駆動ハンドルと、一端部が駆動ハンドルに取り付けられるとともに他端部がスイッチ本体の外側に引き出され引っ張り操作に応じて駆動ハンドルを回動させる引き紐と、駆動ハンドルに設けられ駆動ハンドルの回動に応じて固定接点と接離自在に接触する可動接点とを備え、駆動ハンドルは、駆動ハンドルの一端部を固定接点と反対側に折り曲げてなる略Ｌ字状の引き紐固定片を備え、引き紐固定片は、曲がり部に引き紐固定片の先端よりも幅の狭いくびれ部を備えるとともに先端に切欠き部を備え、引き紐は、前記一端部に設けられた係止部を切欠き部に係止させるとともに、くびれ部が設けられた引き紐固定片の部位に巻き付けられていることを特徴とし、係止部を切欠き部に係止させるとともに、くびれ部が設けられた引き紐固定片の部位に引き紐を巻き付けると、引き紐がくびれ部に引っ掛け係止されるので、引き紐を引き紐固定片に巻き付けるだけで駆動ハンドルに取り付けることができ、従来のスイッチのように引き紐を孔に通す作業がないので、組立作業の作業性が向上する。しかも引き紐を引く力はくびれ部で受けるので引き紐が外れにくく、従来のスイッチのように引き紐に結び目を二重に設けたり結び目に接着剤を塗布したりする必要が無いから組立作業の作業性が向上する。さらに略Ｌ字状の引き紐固定片が駆動ハンドルの一端部に突設されており、引き紐固定片の先端は駆動ハンドルの平面方向と交差する方向に突出しているので、駆動ハンドルの平面方向における寸法を小さくして、駆動ハンドルの小型化を図ることができ、且つ、引き紐固定片の曲がり部に引き紐を巻き付けるためのくびれ部を設けているので、引き紐固定片の突出量を小さくすることができる。そのうえ、引き紐は引き紐固定片の曲がり部に巻き付けられており、引き紐固定片の曲がり部は曲げ耐力が大きいので、引き紐に加わった力により駆動ハンドルが変形するのを防止できる。また、引き紐固定片は駆動ハンドルの一端部を固定接点と反対側に折り曲げることにより形成されているので、引き紐固定片に巻き付けられた引き紐が接点部に引っ掛かることはなく、したがって駆動ハンドルの平面方向において引き紐と接点部との間の距離を短くすることができ、スイッチの小型化を図ることができる。
【００１０】
また、請求項１の発明では、駆動ハンドルとの間に引き紐を狭持すると共に、駆動ハンドルが復帰位置に戻るように駆動ハンドルに復帰力を与える復帰ばねを設けたことを特徴とし、引き紐は駆動ハンドルと復帰ばねとの間に狭持されているので、引き紐が外れるのを防止することができる。
【００１１】
【発明の実施の形態】
本発明の実施の形態を図面を参照して説明する。このスイッチのスイッチ本体は、図２乃至図５に示すように、後述の接点部を収納するための収納凹所３が前面に設けられた略箱状のボディ１と、収納凹所３の開口を塞ぐようにしてボディ１に被着されるカバー２とで構成されており、ボディ１及びカバー２はそれぞれ絶縁材料から形成されている。
【００１２】
カバー２は前面が略矩形状に形成されており、カバー２の短幅方向における両側辺の一端部および中間部には背方に突出する係止爪片４，５が一対づつ突設されている。両側辺の一端部に設けられた係止爪片４の先端には内側に突出する爪４ａが突設されており、両側辺の中間部に設けられた係止爪片５の先端には外側に突出する爪５ａが突設されている。一方、ボディ１の外周面における係止爪片４に対応する部位には爪４ａと係止する係止溝６が設けられ、係止爪片５に対応する部位には爪５ａと係止する係止孔７が設けられており、係止爪片４の爪４ａを係止溝６に係止させるとともに、係止爪片５の爪５ａを係止孔７に係止させることによって、ボディ１とカバー２とが結合される。
【００１３】
収納凹所３の内底面の略中央にはボス８が突設され、ボス８の上面には所定角度ごとに段部を有する段座９が設けられている。段座９の中心にはボス穴８ａが開口しており、ボス穴８ａに回動軸１０の一端部が挿入される。カバー２の内面には回転軸１０の他端部を支持する受け座１１が設けられており、回転軸１０をボス穴８ａに挿入した状態でボディ１にカバー２を被着すると、ボディ１とカバー２との間に回転軸１０が保持される。
【００１４】
回転軸１０には段車１２を介して駆動ハンドル１３が回動自在に取り付けられる。駆動ハンドル１３は導電性材料から形成され、回転軸１０が挿入される孔１４ａが中心に穿設された略円板状の回動板１４を有しており、回動板１４の周縁部における孔１４ａを挟んで対角の部位からは一対の可動接点片１５が回動板１４と連続一体に設けられ、各可動接点片１５には後述する固定接点２４と接離自在に接触する可動接点１６が設けられている。さらに、一方の可動接点片１５の端部からは、駆動ハンドル１３の平面方向と略直交する方向に突出する固定片１７が連続一体に設けられており、固定片１７の曲がり部には先端よりも幅の狭くなったくびれ部１８が設けられている。固定片１７の先端部には略Ｌ字状の一対の引掛片１９が先端部を対向させるようにして設けられており、一対の引掛片１９の間に略Ｔ字状の切欠き部２０が設けられる。また回動板１４には８つの開口１４ｂが孔１４ａを中心とする円周上に約４５度おきに設けられている。ここに、固定片１７が端部に設けられた可動接点片１５および固定片１７から略Ｌ字状の引き紐固定片が構成される。また駆動ハンドル１３、可動接点１６、固定接点２４などから接点部が構成される。
【００１５】
一方、段車１２の中心には回転軸１０を挿通させる孔１２ａが穿設されており、周方向に突出する４つの接触片１２ｂが約９０度おきに設けられている。孔１２ａを挟んで対角の位置にある一対の接触片１２ｂの端縁には、段座９の段部と係止する爪（図示せず）が端縁を段座９側に起こすことによって設けられており、他の一対の接触片１２ｂの端縁には、駆動ハンドル１３の開口１４ｂと係止する爪（図示せず）が端縁を駆動ハンドル１３側に起こすことによって形成されている。
【００１６】
ここで、駆動ハンドル１３は、固定片１７を図２中左側に向けた状態で、段車１２を介して回動軸１０に回動自在に軸着される。そして、図１に示すように引き紐２１の一端部に設けられた結び目２２を切欠き部２０に係止させた後、固定片１７のくびれ部１８が設けられた部位に引き紐２１を巻き付けることにより、引き紐２１が駆動ハンドル１３に取り付けられる。引き紐２１はボディ１に設けられた切欠溝２７から外部に引き出されている。引き紐２１の他端部には操作部２８が取り付けられており、操作部２８を用いて引き紐２１の引っ張り操作を行うことにより駆動ハンドル１３が回動する。なお、本実施形態では切欠き部２０の形状を略Ｔ字状に形成しているが、切欠き部２０の形状を略Ｔ字状に限定する趣旨のものではなく、引き紐２１の結び目２２が係止されるのであれば、切欠き部２０の形状を略Ｌ字状に形成しても良い。
【００１７】
このように、駆動ハンドル１３の一端部には略Ｌ字状の引き紐固定片が突設され、固定片１７の先端は駆動ハンドル１３の平面方向と略直交する方向に突出しており、固定片１７の曲がり部にはくびれ部１８が設けられているので、固定片１７のくびれ部１８が設けられた部位に引き紐２１を巻き付けると、引き紐２１がくびれ部１８に引っ掛け係止されて抜け止めが行われるから、引き紐２１を固定片１７に巻き付けるだけで引き紐２１を駆動ハンドル１３に取り付けることができ、組立作業の作業性が向上する。また引き紐２１を引っ張る際に引き紐２１にかかる力を固定片１７で受けているので、引き紐２１の結び目２２に直接力が加わることはなく、結び目２２がほどけるのを防止するために結び目２２を２重にしたり、結び目２２に接着剤などを塗布して結び目２２を固定する必要がないから、組立作業の作業性が向上する。さらに、引き紐固定片の曲がり部すなわち固定片１７の付け根に引き紐２１は巻き付けられており、固定片１７の付け根は曲げ耐力が大きいので、引き紐２１を引っ張る力によって、駆動ハンドル１３が変形することはない。しかも固定片１７の付け根に引き紐２１は巻き付けられているから、駆動ハンドル１３の平面方向と略直交する方向への固定片１７の突出量を小さくすることができる。また、固定片１７は可動接点片１５の端縁を固定接点２４と反対側に折り曲げることにより形成されているので、固定片１７に巻き付けられた引き紐２１が接点部に引っ掛かることはなく、したがって駆動ハンドル１３の平面方向において引き紐２１と接点部との間の距離を短くすることができ、スイッチの小型化を図ることができる。
【００１８】
ここで、駆動ハンドル１３はコイルばねよりなる復帰ばね２３により回転軸１０を中心として図２中時計回りに付勢されており、引き紐２１を引いていない状態では、固定片１７が設けられた側の可動接点片１５が図２中上側となるように駆動ハンドル１３は傾斜している。収納凹所３の内部には、引き紐２１を引いていない状態で駆動ハンドル１３に設けられた可動接点１６と電気的に接触する位置に固定接点２４が配置されているので、引き紐２１を引いていない状態では固定接点２４と可動接点１６とが電気的に接触し、一対の固定接点２４，２４の間が駆動ハンドル１３を介して電気的に接続される。また、ボディ１の収納凹所３内には駆動ハンドル１３の表面と摺接する導電ばね２５を有する導電板２６が配設されており、導電板２６は駆動ハンドル１３を介して各固定接点２４に電気的に接続されている。なお、各固定接点２４は所謂速結端子からなる端子部（図示せず）に電気的に接続されており、ボディ１の側壁には端子部に結線される電線を外部より挿入するための電線挿入孔２９や、マイナスドライバなどの工具を挿入して電線と端子部との接続状態を解除するための工具挿入孔３０が設けられている。
【００１９】
引き紐２１を引いて、駆動ハンドル１３を復帰ばね２３のばね力に抗して図２中反時計回りに回転させると、可動接点１６と固定接点２４とが開離し、両固定接点２４，２４間および導電板２６と各固定接点２４との間が非導通状態となる。ところで、駆動ハンドル１３が図２中反時計回りに回転すると、段車１２の接触片１２ｂに設けられた爪片が駆動ハンドル１３の開口１４ｂに係止することによって、段車１２が駆動ハンドル１３と供回りし、段車１２の接触片１２ｂに設けられた爪片が段座９の段部を乗り越えることにより、クリック感が発生する。
【００２０】
その後、引き紐２１を離すと、駆動ハンドル１３が復帰ばね２３の復帰力によって図２中時計回りに回転して元の位置に戻り、可動接点１６と固定接点２４とが電気的に接触し、両固定接点２４，２４間および導電板２６と固定接点２４との間が導通状態となる。なお、駆動ハンドル１３の開口１４ｂは段車１２の接触片１２ｂ上を滑って元の位置に戻るので、段車１２は供回りすることはない。
【００２１】
ところで、図６に示すように、復帰ばね２３の一端を切欠き部２０と係止させ、固定片１７に巻き付けた引き紐２１を駆動ハンドル１３と復帰ばね２３との間で挟持するようにしても良く、引き紐２１が外れるのを防止することができる。
【００２２】
【発明の効果】
上述のように、請求項１の発明では、スイッチ本体に設けられた固定接点と、スイッチ本体に回動自在に設けられた駆動ハンドルと、一端部が駆動ハンドルに取り付けられるとともに他端部がスイッチ本体の外側に引き出され引っ張り操作に応じて駆動ハンドルを回動させる引き紐と、駆動ハンドルに設けられ駆動ハンドルの回動に応じて固定接点と接離自在に接触する可動接点とを備え、駆動ハンドルは、駆動ハンドルの一端部を固定接点と反対側に折り曲げてなる略Ｌ字状の引き紐固定片を備え、引き紐固定片は、曲がり部に引き紐固定片の先端よりも幅の狭いくびれ部を備えるとともに先端に切欠き部を備え、引き紐は、前記一端部に設けられた係止部を切欠き部に係止させるとともに、くびれ部が設けられた引き紐固定片の部位に巻き付けられていることを特徴とし、係止部を切欠き部に係止させるとともに、くびれ部が設けられた引き紐固定片の部位に引き紐を巻き付けると、引き紐がくびれ部に引っ掛け係止されるので、引き紐を引き紐固定片に巻き付けるだけで駆動ハンドルに取り付けることができ、従来のスイッチのように引き紐を孔に通す作業がないので、組立作業の作業性が向上するという効果がある。しかも引き紐を引く力はくびれ部で受けるので引き紐が外れにくく、従来のスイッチのように引き紐に結び目を二重に設けたり結び目に接着剤を塗布したりする必要が無いから組立作業の作業性が向上するという効果がある。さらに略Ｌ字状の引き紐固定片が駆動ハンドルの一端部に突設されており、引き紐固定片の先端は駆動ハンドルの平面方向と交差する方向に突出しているので、駆動ハンドルの平面方向における寸法を小さくして、駆動ハンドルの小型化を図ることができ、且つ、引き紐固定片の曲がり部に引き紐を巻き付けるためのくびれ部を設けているので、引き紐固定片の突出量を小さくすることができるという効果がある。そのうえ、引き紐は引き紐固定片の曲がり部に巻き付けられており、引き紐固定片の曲がり部は曲げ耐力が大きいので、引き紐に加わった力により駆動ハンドルが変形するのを防止できるという効果がある。また、引き紐固定片は駆動ハンドルの一端部を固定接点と反対側に折り曲げることにより形成されているので、引き紐固定片に巻き付けられた引き紐が接点部に引っ掛かることはなく、したがって駆動ハンドルの平面方向において引き紐と接点部との間の距離を短くすることができ、スイッチの小型化を図ることができるという効果がある。
【００２４】
また、請求項１の発明は、駆動ハンドルとの間で引き紐を狭持すると共に、駆動ハンドルが復帰位置に戻るように駆動ハンドルに復帰力を与える復帰ばねを設けたことを特徴とし、引き紐は駆動ハンドルと復帰ばねとの間に狭持されているので、引き紐が外れるのを防止できるという効果がある。
【図面の簡単な説明】
【図１】（ａ）（ｂ）は本実施形態のスイッチの引き紐の取付状態を示す説明図である。
【図２】同上のスイッチを示す分解斜視図である。
【図３】同上のスイッチを示す断面図である。
【図４】同上のスイッチを正面側から見た外観斜視図である。
【図５】同上のスイッチを裏面側から見た外観斜視図である。
【図６】同上のスイッチに用いる引き紐の別の取付状態を示す説明図である。
【図７】従来のスイッチの引き紐の取付状態を示す説明図である。
【図８】同上のスイッチの引き紐の別の取付状態を示す説明図である。
【符号の説明】
１３  駆動ハンドル
１４  回動板
１４ａ  孔
１５  可動接点片
１７  固定片
１８  くびれ部
２０  切欠き部
２１  引き紐
２２  結び目
【図１】
0003820047.tif 000002
【図２】
0003820047.tif 000003
【図３】
0003820047.tif 000004
【図４】
0003820047.tif 000005
【図５】
0003820047.tif 000006
【図６】
0003820047.tif 000007
【図７】
0003820047.tif 000008
【図８】
0003820047.tif 000009